【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
遊技状態を遊技者にとって有利となる特定遊技状態に制御可能な遊技機であって、
複数の図柄を可変表示可能な可変表示装置と、
前記特定遊技状態に制御するか否かを事前に決定し、該決定結果に従って遊技状態を制御する遊技制御手段と、
前記遊技制御手段から出力された指令情報に基づいて前記可変表示装置を含む演出装置を制御する演出制御手段と、
遊技者が操作を行なうことが可能な操作手段と、を備え、
前記演出制御手段は、遊技者による前記操作手段の操作に応じて前記遊技制御手段により制御される遊技状態を示す情報を表示して、あたかも遊技者が前記遊技制御手段による決定に介入しているかのような擬似選択遊技を行なう擬似選択遊技実行手段を備え、
前記遊技制御手段は、前記操作手段の操作に応じて出力される操作信号に基づき前記操作手段の操作を受付ける所定の受付期間と、前記所定の受付期間以降であって前記遊技制御手段により制御される遊技状態を示す情報を表示する所定の表示期間と、を含む前記擬似選択遊技の実行期間を特定するための擬似選択遊技用指令情報を前記演出制御手段に出力し、
前記擬似選択遊技実行手段は、
前記操作信号に基づいて前記操作手段の操作が行なわれたか否かを判定し、
前記所定の受付期間中に前記操作が行なわれなかった場合に、前記所定の受付期間が終了した後に前記遊技制御手段により制御される遊技状態を示す情報を表示するとともに、当該情報を前記擬似選択遊技用指令情報から特定される実行時間のうち前記所定の表示期間が終了するまで継続して表示し、
前記所定の受付期間中に前記操作が行なわれた場合に、前記所定の受付期間の終了を待つことなく当該操作が行なわれたタイミングで前記遊技制御手段により制御される遊技状態を示す情報を表示するとともに、前記所定の表示期間が終了するまで継続して表示し、
前記遊技制御手段は、前記所定の受付期間中に前記操作が行なわれなかった場合と行なわれた場合とで同じ期間である前記実行期間が経過したときに、前記決定結果に従って次に行なう制御を開始することを特徴とする、遊技機。
【手続補正２】
【補正対象書類名】明細書
【補正対象項目名】０００１
【補正方法】変更
【補正の内容】
【０００１】
本発明は、パチンコ遊技機、コイン遊技機、スロットマシンなどで代表される遊技機に関する。詳しくは、遊技状態を遊技者にとって有利となる特定遊技状態に制御可能な遊技機に関する。
【手続補正３】
【補正対象書類名】明細書
【補正対象項目名】０００２
【補正方法】変更
【補正の内容】
【０００２】
この種の遊技機として従来から一般的に知られているものに、たとえば、遊技状態を、大当り状態のような遊技者にとって有利となる特定遊技状態に制御可能なものがある。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
しかし、遊技状態を決定するに際して、遊技者の遊技技量が介入するような所定の遊技を実行する場合には、遊技者の遊技技量が遊技結果に介入するため、遊技が、遊技技量が優れた者に有利となり、遊技技量が優れていない者に不利となる等、遊技の公平性が保てず、一般の遊技者が遊技に対して不満を感じるという問題があった。
【手続補正６】
【補正対象書類名】明細書
【補正対象項目名】０００５
【補正方法】変更
【補正の内容】
【０００５】
この発明は上述の問題に鑑みなされたものであって、その目的は、特定遊技状態に制御可能な遊技機において遊技の公平性を保ち、その結果として遊技者の興趣を向上させることである。
【手続補正７】
【補正対象書類名】明細書
【補正対象項目名】０００６
【補正方法】変更
【補正の内容】
【０００６】
（１）  遊技状態を遊技者にとって有利となる特定遊技状態（大当り状態）に制御可能な遊技機（パチンコ遊技機１）であって、
複数の図柄を可変表示可能な可変表示装置（可変表示装置８）と、
前記特定遊技状態に制御するか否かを事前に決定し、該決定結果に従って遊技状態を制御する遊技制御手段（遊技制御用マイクロコンピュータ５３）と、
前記遊技制御手段から出力された指令情報に基づいて前記可変表示装置を含む演出装置を制御する演出制御手段（表示制御用マイクロコンピュータ８００、ランプ制御用マイクロコンピュータ、音制御用マイクロコンピュータ）と、
遊技者が操作を行なうことが可能な操作手段（選択操作部６０、選択Ａボタン６１、選択Ｂボタン６２、光センサ２０１、２０２）と、を備え、
前記演出制御手段は、遊技者による前記操作手段の操作に応じて前記遊技制御手段により制御される遊技状態を示す情報を表示して、あたかも遊技者が前記遊技制御手段による決定に介入しているかのような擬似選択遊技（選択遊技）を行なう（ＳＣ１〜ＳＣ７等参照）擬似選択遊技実行手段（表示制御用マイクロコンピュータ８００）を備え、
前記遊技制御手段は、前記操作手段の操作に応じて出力される操作信号に基づき前記操作手段の操作を受付ける所定の受付期間と、前記所定の受付期間以降であって前記遊技制御手段により制御される遊技状態を示す情報を表示する所定の表示期間と、を含む前記擬似選択遊技の実行期間を特定するための擬似選択遊技用指令情報を前記演出制御手段に出力し、
前記擬似選択遊技実行手段は、
前記操作信号に基づいて前記操作手段の操作が行なわれたか否かを判定し、
前記所定の受付期間中に前記操作が行なわれなかった場合に、前記所定の受付期間が終了した後に前記遊技制御手段により制御される遊技状態を示す情報を表示するとともに、当該情報を前記擬似選択遊技用指令情報から特定される実行時間のうち前記所定の表示期間が終了するまで継続して表示し、
前記所定の受付期間中に前記操作が行なわれた場合に、前記所定の受付期間の終了を待つことなく当該操作が行なわれたタイミングで前記遊技制御手段により制御される遊技状態を示す情報を表示するとともに、前記所定の表示期間が終了するまで継続して表示し（図１５参照）、
前記遊技制御手段は、前記所定の受付期間中に前記操作が行なわれなかった場合と行なわれた場合とで同じ期間である前記実行期間が経過したときに、前記決定結果に従って次に行なう制御を開始する（図６のＳ１０参照）。
【手続補正８】
【補正対象書類名】明細書
【補正対象項目名】０００７
【補正方法】変更
【補正の内容】
【０００７】
このような構成によれば、操作手段の操作が行なわれたことに応じて前記遊技制御手段により制御される遊技状態を示す情報が表示されるが、遊技制御手段による決定自体は擬似選択遊技による遊技者の選択に影響を受けることなく事前に行なわれ、遊技制御手段により制御される遊技状態を示す情報が表示される。このため、遊技者が、擬似選択遊技に関与可能であるが、遊技制御手段による決定自体に関与しないので、遊技制御手段により制御される遊技状態に遊技者の遊技技量が介入できない。これにより、遊技者が遊技制御手段による決定自体に関与しないようにすることにより遊技の公平性を保つことができ、しかも、遊技者が擬似選択遊技に関与可能とすることにより遊技者の興趣を向上させることができる。また、前記情報は、所定の受付期間中に操作手段の操作が行なわれたか否かに関わらず、遊技制御手段からの擬似選択遊技用指令情報から特定される実行期間のうち所定の表示期間が終了するまで表示される。
また、遊技制御手段から、擬似選択遊技の実行期間を特定可能な擬似選択遊技用指令情報が出力され、擬似選択遊技の実行期間を演出制御手段に通知できるとともに、遊技制御手段側において実行期間が経過したときに決定結果に従って次に行なう制御が開始されるため、擬似選択遊技の実行に関する制御が遊技制御手段と演出制御手段とで分担して行なわれる場合の制御において、制御の時間管理の面から連携動作が容易になるようにすることができる。
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】
【手続補正２５】
【補正対象書類名】明細書
【補正対象項目名】００２４
【補正方法】削除
【補正の内容】
【手続補正２６】
【補正対象書類名】明細書
【補正対象項目名】００２５
【補正方法】削除
【補正の内容】
【手続補正２７】
【補正対象書類名】明細書
【補正対象項目名】００２６
【補正方法】変更
【補正の内容】
【００２６】
以下に、本発明の実施の形態を図面に基づいて詳細に説明する。なお、本実施の形態においては、遊技機の一例としてパチンコ遊技機を示すが、本発明はこれに限らず、コイン遊技機、スロットマシン等のその他の遊技機であってもよく、遊技状態を遊技者にとって有利となる特定遊技状態に制御可能な遊技機であればすべて対象となる。